(57)【要約】【課題】遠隔の利用者に監視領域における異常検知が誤報であるのか実際に異常が発生しているのかを早期に正確に把握させること。【解決手段】警備装置１１０は、監視領域の異常を検知した場合に異常検知情報を監視センタ１００に送信し、監視センタ１００は、異常検知情報を警備装置１１０から受信した場合に、警報情報を利用者携帯端末１３０に送信する。警備員携帯端末１２０は、直行指示を受信した後、処置報告を監視センタ１００に送信する。監視センタ１００は、警備員携帯端末１２０から処置報告を受信した場合に、監視領域において行われた処置の内容を示す処置情報を利用者携帯端末１３０に送信する。【選択図】        図１
2007133694.tif 000002
【特許請求の範囲】
【請求項１】
監視領域を監視する警備装置と、前記警備装置にネットワークで接続された監視センタと、前記警備装置と前記監視センタにネットワークで接続され、警備員が所持する警備員携帯端末とを有する警備システムであって、
前記警備装置は、
前記監視領域の異常を検知した場合に異常検知情報を前記監視センタに送信する異常検知情報送信手段を備え、
前記監視センタは、
前記異常検知情報を前記警備装置から受信した場合に、前記監視領域で異常が検知された旨を示す警報情報を前記異常検知情報に基づいて生成し、生成した前記警報情報を利用者が所持する利用者携帯端末に送信する警報情報送信手段と、
前記警備員携帯端末から前記監視領域において行った処置の報告である処置報告を受信した場合に、前記監視領域において行われた処置の内容を示す処置情報を処理報告に基づいて生成し、生成した前記処置情報を前記利用者携帯端末に送信する処置情報送信手段と、を備え、
前記警備員携帯端末は、
前記処置報告を前記監視センタに送信する第１の通信手段を備え、
前記利用者端末は、
前記監視センタから前記警報情報と前記処置情報とを受信する第２の通信手段
を備えたことを特徴とする警備システム。
【請求項２】
前記利用者携帯端末の前記第２の通信手段は、さらに、前記警報情報を受信した後に、検知された異常の詳細内容を前記監視センタに要求し、
前記監視センタは、
前記異常の詳細内容の要求を受信した場合に、前記異常検知情報に基づいて前記異常の詳細内容を前記利用者携帯端末に送信する詳細情報送信手段
を更に備えたことを特徴とする請求項１に記載の警備システム。
【請求項３】
前記警備装置は、前記監視領域を撮像する第１の撮像手段を更に備え、
前記警備装置の前記異常検知情報送信手段は、前記第１の撮像手段によって撮像した画像データを前記異常検知情報に含めて送信し、
前記監視センタの前記詳細情報送信手段は、前記異常の詳細内容の要求を受信した場合に、前記異常の詳細内容として前記画像データを前記利用者携帯端末に送信することを特徴とする請求項２に記載の警備システム。
【請求項４】
前記利用者携帯端末の前記第２の通信手段は、さらに、前記処置情報を受信した後に、処置の詳細内容を前記監視センタに要求し、
前記監視センタの前記詳細情報送信手段は、さらに、前記処置の詳細内容の要求を受信した場合に、前記処置報告に基づいて前記処置の詳細内容を前記利用者携帯端末に送信することを特徴とする請求項２または３に記載の警備システム。
【請求項５】
前記警備員携帯端末は、第２の撮像手段をさらに備え、
前記警備員携帯端末の前記第１の通信手段は、前記第２の撮像手段によって撮像した画像データを前記処置情報とともに送信し、
前記監視センタの前記詳細情報送信手段は、前記処置の詳細内容の要求を受信した場合に、前記処置の詳細内容として前記画像データを前記利用者携帯端末に送信することを特徴とする請求項４に記載の警備システム。
【請求項６】
前記警備員携帯端末は、現在位置を取得する位置情報取得手段をさらに備え、
前記警備員携帯端末の前記第１の通信手段は、さらに、前記位置情報取得手段によって取得した現在位置の位置情報を前記監視センタに送信し、
前記監視センタの前記詳細情報送信手段は、前記異常の詳細内容の要求を受信した場合に、前記異常の詳細内容として前記位置情報を前記利用者携帯端末に送信することを特徴とする請求項２〜５のいずれか一つに記載の警備システム。
【請求項７】
監視領域を監視する警備装置と、前記警備装置にネットワークで接続された監視センタと、前記警備装置と前記監視センタにネットワークで接続され、警備員が所持する警備員携帯端末とを有する警備システムで行われる警備方法あって、
前記警備装置において、前記監視領域の異常を検知した場合に異常検知情報を前記監視センタに送信する異常検知情報送信ステップと、
前記監視センタにおいて、前記異常検知情報を前記警備装置から受信した場合に、前記監視領域で異常が検知された旨を示す警報情報を前記異常検知情報に基づいて生成し、生成した前記警報情報を利用者が所持する利用者携帯端末に送信する警報情報送信ステップと、
前記監視センタにおいて、前記警備員携帯端末から前記監視領域において行った処置の報告である処置報告を受信した場合に、前記監視領域において行われた処置の内容を示す処置情報を処理報告に基づいて生成し、生成した前記処置情報を前記利用者携帯端末に送信する処置情報送信ステップと、
前記警備員携帯端末において、前記直行指示を受信し、前記処置報告を前記監視センタに送信する第１の通信ステップと、
前記利用者携帯端末において、前記監視センタから前記警報情報と前記処置情報とを受信する第２の通信ステップと、
を含むことを特徴とする警備方法。
【発明の詳細な説明】
【技術分野】
【０００１】
本発明は、監視領域において異常が検知された場合に利用者の携帯端末にその旨を通報する警備システムおよび警備方法に関する。
【背景技術】
【０００２】
従来から、監視領域内で異常が検知された場合に、監視領域に設置された警備装置から警備装置を集中的に管理する監視センタに異常検知情報を送信し、監視センタから外出中の利用者の携帯端末に監視領域で異常が検知された旨の警報を通知して、利用者に異常が検知された旨を通報する技術が知られている。
【０００３】
また、特許文献１には、感知器等において異常が発生した場合、感知器等から警報発生信号を遠隔の受信センタに送出し、感知器が復旧した場合には復旧信号を受信センタに送出する技術が開示されている。さらに、特許文献２には、画像形成装置等の機器において異常を検出すると、異常内容と対処作業内容を含むデータを外部装置に送信する技術が開示されている。
【０００４】
【特許文献１】特公平１−５０９５９号公報
【特許文献２】特開平１１−１６０７２号公報
【発明の開示】
【発明が解決しようとする課題】
【０００５】
しかしながら、上記の従来技術では、単に警報を遠隔の利用者に通知したり、警報発生信号や復旧信号、異常内容に対する対処作業内容をセンタに送信するだけなので、実際に異常が発生してないのに警報が動作してしまった場合、すなわち警報が誤報であった場合にも利用者に通知された状態のままとなる。このため、利用者は、警報の通報を受けてから実際に自己の監視領域に出向くまでの長い間、監視領域に異常が発生していると誤解したままとなり、監視領域の正確な状況を把握することができない問題がある。
【０００６】
本発明は、上記に鑑みてなされたものであって、監視領域で異常が検知されて警備員が監視領域で処置を行った場合にも遠隔の利用者に警備員の処置の情報を送信することによって、遠隔の利用者に監視領域における異常検知が誤報であるのか実際に異常が発生しているのかを早期に正確に把握させることができる警備システムおよび警備方法を提供することを目的とする。
【課題を解決するための手段】
【０００７】
上述した課題を解決し、目的を達成するために、本発明は、監視領域を監視する警備装置と、前記警備装置にネットワークで接続された監視センタと、前記警備装置と前記監視センタにネットワークで接続され、警備員が所持する警備員携帯端末とを有する警備システムであって、前記警備装置は、前記監視領域の異常を検知した場合に異常検知情報を前記監視センタに送信する異常検知情報送信手段を備え、前記監視センタは、前記異常検知情報を前記警備装置から受信した場合に、前記監視領域で異常が検知された旨を示す警報情報を前記異常検知情報に基づいて生成し、生成した前記警報情報を利用者が所持する利用者携帯端末に送信する警報情報送信手段と、前記警備員携帯端末から前記監視領域において行った処置の報告である処置報告を受信した場合に、前記監視領域において行われた処置の内容を示す処置情報を処理報告に基づいて生成し、生成した前記処置情報を前記利用者携帯端末に送信する処置情報送信手段と、を備え、前記警備員携帯端末は、前記処置報告を前記監視センタに送信する第１の通信手段を備え、前記利用者端末は、前記監視センタから前記警報情報と前記処置情報とを受信する第２の通信手段を備えたことを特徴とする。
【０００８】
また、本発明は、前記利用者携帯端末の前記第２の通信手段は、さらに、前記警報情報を受信した後に、検知された異常の詳細内容を前記監視センタに要求し、前記監視センタは、前記異常の詳細内容の要求を受信した場合に、前記異常検知情報に基づいて前記異常の詳細内容を前記利用者携帯端末に送信する詳細情報送信手段を更に備えたことを特徴とする。
【０００９】
また、本発明は、前記警備装置は、前記監視領域を撮像する第１の撮像手段を更に備え、前記警備装置の前記異常検知情報送信手段は、前記第１の撮像手段によって撮像した画像データを前記異常検知情報に含めて送信し、前記監視センタの前記情報送信手段は、前記異常の詳細内容の要求を受信した場合に、前記異常の詳細内容として前記画像データを前記利用者携帯端末に送信することを特徴とする。
【００１０】
また、本発明は、前記利用者携帯端末の前記第２の通信手段は、さらに、前記処置情報を受信した後に、処置の詳細内容を前記監視センタに要求し、前記監視センタの前記詳細情報送信手段は、さらに、前記処置の詳細内容の要求を受信した場合に、前記処置報告に基づいて前記処置の詳細内容を前記利用者携帯端末に送信することを特徴とする。
【００１１】
また、本発明は、前記警備員携帯端末は、第２の撮像手段をさらに備え、前記警備員携帯端末の前記第１の通信手段は、前記第２の撮像手段によって撮像した画像データを前記処置情報とともに送信し、前記監視センタの前記情報送信手段は、前記処置の詳細内容の要求を受信した場合に、前記処置の詳細内容として前記画像データを前記利用者携帯端末に送信することを特徴とする。
【００１２】
また、本発明は、前記警備員携帯端末は、現在位置を取得する位置情報取得手段をさらに備え、前記警備員携帯端末の前記第１の通信手段は、さらに、前記位置情報取得手段によって取得した現在位置の位置情報を前記監視センタに送信し、前記監視センタの前記詳細情報送信手段は、前記異常の詳細内容の要求を受信した場合に、前記異常の詳細内容として前記位置情報を前記利用者携帯端末に送信することを特徴とする。
【００１３】
また、本発明は、監視領域を監視する警備装置と、前記警備装置にネットワークで接続された監視センタと、前記警備装置と前記監視センタにネットワークで接続され、警備員が所持する警備員携帯端末とを有する警備システムで行われる警備方法あって、前記警備装置において、前記監視領域の異常を検知した場合に異常検知情報を前記監視センタに送信する異常検知情報送信ステップと、前記監視センタにおいて、前記異常検知情報を前記警備装置から受信した場合に、前記監視領域で異常が検知された旨を示す警報情報を前記異常検知情報に基づいて生成し、生成した前記警報情報を利用者が所持する利用者携帯端末に送信する警報情報送信ステップと、前記監視センタにおいて、前記警備員携帯端末から前記監視領域において行った処置の報告である処置報告を受信した場合に、前記監視領域において行われた処置の内容を示す処置情報を処理報告に基づいて生成し、生成した前記処置情報を前記利用者携帯端末に送信する処置情報送信ステップと、前記警備員携帯端末において、前記直行指示を受信し、前記処置報告を前記監視センタに送信する第１の通信ステップと、前記利用者携帯端末において、前記監視センタから前記警報情報と前記処置情報とを受信する第２の通信ステップと、を含むことを特徴とする。
【発明の効果】
【００１４】
本発明によれば、監視領域で異常が検知されて警備員が監視領域で処置を行った場合にも遠隔の利用者に警備員の処置の情報を送信することで、遠隔の利用者に監視領域における異常検知が誤報であるのか実際に異常が発生しているのかを早期に正確に把握させることができるという効果を奏する。
【００１５】
また、本発明によれば、利用者携帯端末が警報情報を受信した後に、異常の詳細内容を監視センタに要求した場合に、監視センタから異常の詳細内容を利用者携帯端末に送信することで、要求のあった利用者のみに異常の詳細内容を送信すればよく、異常の情報として最低限の情報のみを送信するため、通信量の削減を図ることができるという効果を奏する。
【００１６】
また、本発明によれば、警備装置が撮像した画像データを異常検知情報に含めて送信し、監視センタでは、異常の詳細内容の要求を受信した場合に異常の詳細内容として画像データを利用者携帯端末に送信することで、監視領域の警報発生時の画像を要求した利用者にのみ画像データを送信すればよく、通信量の削減を図ることができるという効果を奏する。
【００１７】
また、本発明によれば、利用者携帯端末が処置情報を受信した後に、処置の詳細内容を監視センタに要求した場合に、監視センタから処置の詳細内容を利用者携帯端末に送信することで、要求のあった利用者のみに処置の詳細内容を送信すればよく、処置の情報として最低限の情報のみを送信するため、通信量の削減を図ることができるという効果を奏する。
【００１８】
また、本発明によれば、警備員携帯端末では撮像した画像データを異常検知情報に含めて送信し、監視センタでは、処置の詳細内容の要求を受信した場合に、処置の詳細内容として画像データを利用者携帯端末に送信することで、監視領域の警報発生時の画像を要求した利用者にのみ画像データを送信すればよく、通信量の削減を図ることができるという効果を奏する。
【００１９】
また、本発明によれば、警備員携帯端末では現在位置を取得し、取得した現在位置の位置情報を前記監視センタに送信し、監視センタでは、異常の詳細内容の要求を受信した場合に、異常の詳細内容として位置情報を利用者携帯端末に送信することで、利用者が警報情報により監視領域の異常を知った場合に、警備員の現在位置を把握することができ、警備員の監視領域までの到着時間を予測することができるという効果を奏する。
【００２０】
また、本発明によれば、監視領域で異常が検知されて警備員が監視領域で処置を行った場合にも遠隔の利用者に警備員の処置の情報を送信することで、遠隔の利用者に監視領域における異常検知が誤報であるのか実際に異常が発生しているのかを早期に正確に把握させることができるという効果を奏する。
【発明を実施するための最良の形態】
【００２１】
以下に添付図面を参照して、この発明にかかる警備システムおよび警備方法の最良な実施の形態を詳細に説明する。
【００２２】
図１は、本実施の形態にかかる警備システムのネットワーク構成を示す説明図である。本実施の形態にかかる警備システムは、図１に示すように、監視領域内に配置されたセンサ１０３と監視カメラ１０４と接続された警備装置１１０と、監視センタ１００と、警備員携帯端末１２０と、利用者携帯端末１３０とがインターネット、電話回線、無線ネットワーク等のネットワーク１４０に接続された構成となっている。
【００２３】
警備装置１１０は、監視領域内でセンサ１０３や監視カメラ１０４等により異常が検知された場合に、その警備装置１１０の識別情報や異常状態の識別情報を含む異常検知情報を監視センタ１００に通報するものである。
【００２４】
監視センタ１００は、警備装置１１０から異常検知情報を受信した場合に、警備員をその監視領域に出向くように直行指示を行う等の監視処理や、利用者携帯端末１３０に後述する警報メールや処置メールを送信するものである。
【００２５】
警備員携帯端末１２０は、異常が発生した監視領域に出向いて処置を行う警備員が所持する携帯電話、ＰＤＡ（Ｐｅｒｓｏｎａｌ  Ｄｉｇｉｔａｌ  Ａｓｓｉｓｔａｎｔｓ）等の端末である。利用者携帯端末１３０は、警備装置１１０の利用者が所有する携帯電話、ＰＤＡ等の端末である。
【００２６】
次に、警備装置１１０の詳細について説明する。図２は、警備装置１１０の構成を示すブロック図である。警備装置１１０は、図１に示すように、センサ１０３と監視カメラ１０４と、コントローラ１０１と、入出力制御部１１５と、制御部１５０と、通信制御部１１６とを主に備えている。
【００２７】
コントローラ１０１は、利用者からの各種操作入力を受け付けるものであり、利用者からの各種操作入力のための表示画面を表示したり、当該表示画面からの操作入力を行わせる操作表示部１０２を備えている。操作表示部１０２は、例えばタッチ入力式の液晶画面であり、利用者に対して設定画面を表示して、利用者の操作入力を受け付けるものである。
【００２８】
入出力制御部１１５は、コントローラ１０１の入出力制御、監視領域の異常を検知するセンサ１０３、監視カメラ１０４からの撮像画像の入力制御、送信された音声を出力するスピーカ（図示せず）の出力制御により種々のデータの入出力を制御する処理部である。
【００２９】
通信制御部１１６は、警備装置１１０とネットワーク１２０との間における通信を制御するものであり、具体的にはネットワークボードなどが該当する。
【００３０】
制御部１５０は、警備装置１１０の全体制御を行うものであり、さらに警備モード切替部１５１と、警備モード記憶部１５２と、異常検知情報送信部１５５とを主に備えている。
【００３１】
警備モード切替部１５１は、後述する警備モード記憶部１５２に、利用者から受け付けた警備モードを記憶させることにより、現在の警備モードの切替設定を行うものである。また、警備モード切替部１５１は、監視領域に帰宅した子供が最初の帰宅者であった場合、その子供を異常信号として検知されないよう、監視領域の現在の警備モードを警備解除状態に切替設定する。また、監視領域から外出した子供が最後の外出者であった場合、外出した後の監視領域の警備を行うよう、監視領域の現在の警備モードを警備状態に切替設定する。
【００３２】
ここで、警備モードとは、監視領域において異常検知した際の通報先への通報の可否、または監視領域に対する報知の可否などを定めたモードであり、異常を検知したときの警備装置１１０の動作を決定するモードである。警備モードは、通報の可否および通報先、監視領域への報知の有無などによって複数のモードが存在し、代表的な警備モードとしては、警備状態、警備解除状態がある。
【００３３】
まず、警備状態とは、主に住人（利用者）が外出中、警備を必要とする場合に設定する警備モードであり、センサによって異常を検知したときに発せられる検知信号を警備装置が受信した場合に、監視センタに異常を知らせる警報を通報する状態である。なお、警備装置の設置されている監視領域において異常を検知したことを報知する場合もある。これは、侵入者を威嚇する目的や誤報である場合に警報解除操作を促す目的で報知するものである。
【００３４】
警備解除状態とは、主に住人（利用者）が在宅中、警備を必要としない場合に設定する警備モードであり、センサによって異常を検知したときに発せられる検知信号を警備装置が受信した場合でも、監視センタへの警報の通報、監視領域における異常の検知、通報先端末への異常の通報のいずれも行わない状態である。これは、センサにより異常が検知（人の存在の検知、扉の開閉の検知）されても、在宅中の住人を検知したものと判断するためである。
【００３５】
異常検知情報送信部１５５は、警備モードが警備状態に設定されている場合に、センサ１０３等によって異常を検知すると、警備装置１１０の識別情報や異常状態の識別情報等を含み、異常が検知された旨を示す異常検知情報をむ監視センタ１００に送信するものである。
【００３６】
次に、監視センタ１００の詳細について説明する。図３は、監視センタ１００の構成を示すブロック図である。監視センタ１００は、図３に示すように、受信部３０１と、監視部３０２と、警報メール送信部３０３と、処置メール送信部３０４と、ＷＥＢ情報送受信部３０５と、警備・処置データ蓄積部３０６と、画像蓄積部３０７と、処置対応テーブル３０８とを主に備えた構成となっている。
【００３７】
受信部３０１は、警備装置１００から異常検知情報を受信するものである。監視部３０２は、受信部３０１によって異常検知情報を受信した場合に、異常検知情報に含まれる警備装置１１０の識別情報から当該警備装置１１０に最も近くにいる警備員等の警備員携帯端末１２０に、当該警備装置１１０の監視領域に直行すべき旨の直行指示を送信する処理を行う。
【００３８】
ＷＥＢ情報送受信部３０５は、警備員携帯端末１２０や利用者携帯端末１３０からｉモード（登録商標）によりｈｔｔｐプロトコルに従った情報の送信やＷＥＢページ送信のＷ要求を受信したり、要求されたＷＥＢページを警備員携帯端末１２０や利用者携帯端末１３０にｈｔｔｐプロトコルに従って送信する処理部である。具体的には、ＷＥＢ情報送受信部３０５は、処理報告の画面を警備員携帯端末１２０に送信し、当該画面から処理報告を受信する。また、ＷＥＢ情報送受信部３０５は、利用者携帯端末１３０から警報の詳細内容要求や処置の詳細内容要求を受信して、それぞれの詳細内容や画像蓄積部３０７に保存されている画像データを利用者携帯端末１３０に送信する処理を行う。
【００３９】
警報メール送信部３０３は、受信部３０１によって異常検知情報を受信した場合に、異常検知情報の内容から警備・処置データを生成して、警備・処置データ蓄積部３０６に保存し、この警備・処置データから後述する警報メールを生成し、利用者携帯端末１３０にメール送信する処理部である。また、警報メール送信部３０３は、異常検知情報に監視領域の撮像画像データが含まれる場合には、この画像データを画像蓄積部３０７に保存する処理も行う。なお、利用者携帯端末１３０のメースアドレスは予め利用者データベース（図示せず）等に利用者ＩＤ、警備装置の識別情報と対応づけて保持されている。
【００４０】
処置メール送信部３０４は、ＷＥＢ情報送受信部３０５によって警備員携帯端末１２０から処置報告を受信した場合に、受信した処置報告の内容を警備・処置データ蓄積部３０６に蓄積された警備・処置データに登録し、この警備・処置データから後述する処置メールを生成し、利用者携帯端末１３０にメール送信する処理部である。また、処置メール送信部３０４は、警備員携帯端末１２０から受信した処置報告に画像データが添付されている場合には、この画像データを画像蓄積部３０７に保存する処理も行う。
【００４１】
警報・処置データ蓄積部３０６は、異常検知情報および処置報告の内容から生成された警報・処置データを蓄積するメモリ、ハードディスクドライブ装置（HDD）等の記憶媒体である。なお、警報・処置データの詳細については後述する。
【００４２】
画像蓄積部３０７は、警備装置１１０から受信した画像データや警備員携帯端末１２０から受信した画像データを蓄積するメモリ、ハードディスクドライブ装置（HDD）等の記憶媒体である。
【００４３】
処置対応テーブル３０８は、処置報告の原因コードと原因内容とを対応づけたテーブルであり、メモリ、ハードディスクドライブ装置（HDD）等の記憶媒体に保存されている。なお、処置対応テーブル３０８の詳細については後述する。
【００４４】
次に、利用者携帯端末１３０の詳細について説明する。図４は、利用者携帯端末１３０の機能的構成を示すブロック図である。利用者携帯端末１３０は、図４に示すように、通信部４０１と、通話部４０２と、表示部４０３と、操作部４０４とを主に備えている。
【００４５】
通信部４０１は、ｉモード（登録商標）によるデータの送受信を行う処理部である。通話部４０２は、電話回線による通話を制御するものである。表示部４０３は、液晶ディスプレイ等である。操作部４０４は、キー、ボタン等である。本実施の形態では、利用者携帯端末１３０は、通信部４０１によって監視センタ１００とデータの送受信を行い、受信したデータを表示部４０３に表示し、操作部４０４からこの画面に対する入力操作を行っている。
【００４６】
次に、警備員携帯端末１２０の詳細について説明する。図５は、警備員携帯端末１２０の機能的構成を示すブロック図である。警備員携帯端末１２０は、図５に示すように、通信部５０１と、ＧＰＳ受信部５０２と、通話部５０３と、表示部５０４と、操作部５０５とを主に備えている。
【００４７】
通信部５０１は、ｉモード（登録商標）によるデータの送受信を行う処理部である。ＧＰＳ受信部５０２は、ＧＰＳ衛星から自己の現在位置を一定時間ごとに受信するものである。受信した現在位置の位置情報は、通信部５０１によって監視センタ１００に送信されるようになっている。通話部５０３は、電話回線による通話を制御するものである。表示部５０４は、液晶ディスプレイ等である。操作部５０５は、キー、ボタン等である。本実施の形態では、警備員携帯端末１２０は、通信部５０１によって監視センタ１００とデータの送受信を行い、受信したデータを表示部５０４に表示し、操作部５０５からこの画面に対する入力操作を行っている。
【００４８】
次に、監視センタ１００に保存されている処置対応テーブル３０８の詳細について説明する。図６は、処置対応テーブル３０８の内容の一例を示す説明図である。図６に示すように、処置対応テーブル３０８は、警報の原因を識別する原因コードと、その原因の内容とを対応づけている。
【００４９】
次に、監視センタ１００に保存されている警報・処置データの詳細について説明する。図７は、警報・処置データの内容の一例を示す説明図である。警報・処置データは、警報が発生した日時ごとに、発生した警備装置の識別情報、利用者、警報コード、原因コード、原因、措置内容、詳細連絡、派遣した警備員の識別情報、画像データへのポインタが登録されている。
【００５０】
ここで、日時、警備装置、利用者、警報コードは、警備装置１１０から受信しら異常検知情報から抽出して登録される。また、原因コード、措置内容、詳細連絡、警備員の識別情報、画像データは、警備員携帯端末１２０から受信した処置報告から抽出して登録される。また、原因の内容については、処置報告に含まれる原因コードから上述の処置対応テーブル３０８を参照して対応する原因の内容が登録される。
【００５１】
次に、以上のように構成された本実施の形態にかかる警備システムによる警備処理について説明する。まず、警備システムによる全体処理について説明する。図８は、本実施の形態にかかる警備システムによる全体の流れを示すシーケンス図である。
【００５２】
まず、警備装置１１０において監視領域でセンサ１０３や監視カメラ１０４等により異常を検知した場合には、警備装置１１０の識別情報と異常の状態を示す警報コードと監視領域を監視カメラ１０４で撮像した画像データを含む異常検知情報が監視センタ１００に送信される（ステップＳ８０１）。異常検知情報を受信した監視センタ１００は、警備員携帯端末１２０に異常検知情報が通報された警備装置１１０の監視領域に直行すべき旨の直行指示を送信する（ステップＳ８０２）。また、監視センタ１００は、異常検知情報から警報・処置データを生成して、この警報・処置データから警報メールを生成し、警報メールを、異常検知情報を通報した警備装置１１０の利用者の利用者携帯端末１３０にメール送信する（ステップＳ８０３）。
【００５３】
警報メールを利用者携帯端末１３０で受信した利用者は、さらに警報の監視領域の画像等の詳細内容を知りたい場合には、詳細内容の要求を監視センタ１００に送信し（ステップＳ８０４）、監視センタ１００が詳細内容の要求を受信すると、監視領域の画像データ等の詳細情報を利用者携帯端末１３０に送信する（ステップＳ８０５）。
【００５４】
直行指示を警備員携帯端末１２０で受信した警備員は、監視領域に出向き、監視領域の異常状態を確認して異常状態に応じた処置を行う。そして、処置の結果を処置報告として警備員携帯端末１２０からｉモード（登録商標）により監視センタ１００に送信する（ステップＳ８０６）。このとき、警備員は処置後の監視領域を警備員携帯端末１２０のカメラで撮像し、撮像した画像データを処置報告に添付して送信する。
【００５５】
処置報告を受信した監視センタ１００は、受信した処置報告の内容を警報・処置データに反映させて、この警報・処置データから処置メールを生成し、生成した処置メールを利用者携帯端末１３０にメール送信する（ステップＳ８０７）。
【００５６】
処置メールを利用者携帯端末１３０で受信した利用者は、さらに監視領域の画像等の処置の詳細内容を知りたい場合には、詳細内容の要求を監視センタ１００に送信し（ステップＳ８０８）、監視センタ１００が詳細内容の要求を受信すると、警備員携帯端末１２０で撮像した画像データ等の詳細情報を利用者携帯端末１３０に送信する（ステップＳ８０９）。以上のようにして、利用者は、自己の監視領域で異常が検知されたことだけではなく、警備員による処置がなされたことを外出中でも把握することができる。
【００５７】
次に、警備装置１１０から異常検知情報を受信した監視センタ１００で行われる監視処理について説明する。図９−１および図９−２は、異常検知情報を受信した監視センタ１００で行われる監視処理の手順を示すフローチャートである。
【００５８】
まず、監視センタ１００では受信部３０１によって異常検知情報を受信すると（ステップＳ９０１）、警報メール送信部３０３によって受信した異常検知情報から図７に示す警報・処置データを生成し、警報・処置データ蓄積部３０６に保存する（ステップＳ９０２）。このとき、異常検知情報の中の警報発生時の監視領域の画像データを画像蓄積部３０７に保存する。
【００５９】
次に、監視部３０２によって、警備員携帯端末１２０に異常検知情報が通報された警備装置１１０の監視領域に直行すべき旨の直行指示を送信する（ステップＳ９０３）。
【００６０】
なお、本実施の形態では、警備装置１００から異常検知情報を受信した場合に監視部３０２によって警備員携帯端末１２０に直行指示を送信しているが、直行指示はかかる監視部３０２による処理で行うことに限定されるものではない。例えば、警備員の所持する警備員携帯端末１２０に電話で直行指示を連絡したり、警備員が所持するポケットベルに警備装置１１０の監視領域に直行すべき旨のメッセージ送信を行って直行指示を行ってもよい。
【００６１】
次に、警報メール送信部３０３は、ステップＳ９０２で生成した警報・処置データから警報メールを生成する（ステップＳ９０４）。なお、監視センタ１００は一定時間ごとに警備員携帯端末１２０からその現在位置の位置情報を受信しており、現在の位置情報を警報メールに含めて警報メールを生成する。次に、警報メール送信部３０３は、生成した警報メールを利用者携帯端末１３０に送信する（ステップＳ９０５）。
【００６２】
図１０−１は、利用者携帯端末１３０で受信した警報メールの一例を示す模式図である。図１０−１に示すように、警報メールには、利用者ＩＤ、利用者名、警報発生日時、異常が検知された場所、画像のＵＲＬ（Ｕｎｉｆｏｒｍ  Ｒｅｓｏｕｒｃｅ  Ｌｏｃａｔｏｒ）が表示されている。警備員の位置情報が含まれる場合には、「位置情報：ｈｔｔｐ／／ｗｗｗ／ｘｘｘ．ｃｏｍ／ｐｏｓｉｔｉｏｎ」などのように現在の位置情報を表示するための監視センタ１００上のサイトのＵＲＬが表示されることになる。図１０−１の画面において、利用者がさらに警報の詳細な内容を把握したいため、画像のＵＲＬをクリックすると、詳細内容の要求が監視センタ１００に送信されることになる。
【００６３】
なお、図１０−１に示す警報メールは一例を示すものであり、より簡易に日時や異常が検知された旨だけを示す警報メールを生成して送信してもよい。異常検知の旨以外の情報を要求があってから詳細情報として送信するように構成してもよい。これにより、利用者は必要があるときだけ詳細情報をさらに要求すればよいので、通信量の削減および通信料金の削減を図ることが可能となる。
【００６４】
監視センタ１００では、警報メールを受信した利用者携帯端末１３０からこのような詳細内容の要求を受信した場合には（ステップＳ９０６：Ｙｅｓ）、警報・処置データの詳細内容および画像蓄積部３０７に保存されている警報発生時の監視領域の画像データを利用者携帯端末１３０に送信する（ステップＳ９０７）。
【００６５】
図１０−２は、警報の詳細内容としての画像データが利用者携帯端末１３０に表示された画面を示す説明図である。図１０−２に示すように、画面の中央に警報発生時の監視領域を撮像した画像データが表示されることになる。これにより、利用者は必要があるときだけ詳細情報としての画像データをさらに要求すればよいので、通信量の削減および通信料金の削減を図ることが可能となる。
【００６６】
なお、詳細内容を取得するためのＵＲＬ表示をさらに行い、そのＵＲＬが指定されることによって詳細内容の要求を監視センタ１００が受信した場合、警報・処置データに登録されている他の情報をさらに利用者携帯端末１３０に詳細内容として送信するように構成してもよい。この場合、警報メールとしては、日時と異常が検知された旨のみを送信するように構成してもよい。これにより、通信量の削減および通信料金の削減を図ることが可能となる。
【００６７】
次に、監視センタ１００は、警備員携帯端末１２０から処置報告の受信待ちとなる（ステップＳ９０８）。このとき、警備員は、異常状態のあった監視領域の現場確認およびその状態に応じた必要な処置を行うと、所持する警備員用携帯端末１２０から処置報告を作成して監視センタ１００に送信する。これにより、警備員携帯端末１２０から処置報告が監視センタ１００に送信されてくると、これをＷＥＢ情報送受信部３０５によって受信し（ステップＳ９０８：Ｙｅｓ）、受信した処置報告の内容を警報・処置データ蓄積部３０６に保存されている警報・処置データに追加登録し、処置報告に添付されてきた処置後の監視領域を撮像した画像データを画像蓄積部３０７に保存する。
【００６８】
次に、処置メール送信部３０４は、警報・処置データから処置メールを生成し（ステップＳ９０９）、生成した処置メールを利用者携帯端末１３０に送信する（ステップＳ９１０）。
【００６９】
図１１−１は、利用者携帯端末１３０で受信した処置メールの一例を示す模式図である。図１１−１に示すように、警報メールには、利用者ＩＤ、利用者名、処置日時、異常が検知された場所、原因コード、原因、画像のＵＲＬが表示されている。警備員の位置情報が含まれる場合には、「位置情報：ｈｔｔｐ／／ｗｗｗ／ｘｘｘ．ｃｏｍ／ｐｏｓｉｔｉｏｎ」などのように現在の位置情報を表示するための監視センタ１００上のサイトのＵＲＬが表示されることになる。
【００７０】
図１１−１の画面において、利用者がさらに処置の詳細な内容を把握したいため、画像のＵＲＬをクリックすると、詳細内容の要求が監視センタ１００に送信されることになる。
【００７１】
監視センタ１００では、処置メールを受信した利用者携帯端末１３０からこのような詳細内容の要求を受信した場合には（ステップＳ９１１：Ｙｅｓ）、警報・処置データの詳細内容および画像蓄積部３０７に保存されている処置後の監視領域の画像データを利用者携帯端末１３０に送信する（ステップＳ９１２）。
【００７２】
図１１−２は、処置の詳細内容としての画像データが利用者携帯端末１３０に表示された画面を示す説明図である。図１１−２に示すように、画面の中央に処置後の監視領域を撮像した画像データが表示されることになる。これにより、利用者は必要があるときだけ処置の詳細情報としての画像データをさらに要求すればよいので、通信量の削減および通信料金の削減を図ることが可能となる。
【００７３】
なお、詳細内容を取得するためのＵＲＬ表示をさらに行い、そのＵＲＬが指定されることによって詳細内容の要求を監視センタ１００が受信した場合、警報・処置データに登録されている詳細内容（警備員が処置報告として入力した詳細内容）や他の情報をさらに利用者携帯端末１３０に詳細内容として送信するように構成してもよい。処置メールとしては、日時と処置を行った旨のみ送信されれば十分である利用者も存在するため、日時と処置を行った旨の処置メールを送信することで通信量の削減および通信料金の削減を図ることが可能となる。
【００７４】
このように処置メールを利用者携帯端末１３０で受信することにより、例えば、図１１−１に示すように原因が侵入等による場合には、重大な状況となっていることを利用者が外出先で正確かつ迅速に把握することができる。一方、原因が入館時や退館時の操作ミス等の場合には警報が誤報であることを外出先で正確かつ迅速に把握することができる。
【００７５】
次に、監視センタ１００から直行指示を受信して警備装置１１０の監視領域に出向いた警備員が所持する警備員携帯端末１２０による処置の処理について説明する。図１２は、警備員携帯端末１２０による処置の処理の手順を示すフローチャートである。
【００７６】
警備員が監視センタ１００から警備装置１１０への直行指示を警備員携帯端末１２０で受信すると（ステップＳ１２０１）、警備員は直行指示で指定された識別情報の警備装置１１０の設置されている監視領域に出向き、警報の確認を行う。そして、適切な処置を行った後、処置後の監視領域の状態を警備員携帯端末１２０のカメラで撮像する（ステップＳ１２０２）。
【００７７】
次いで、警備員は、処置報告を警備員携帯端末１２０で入力して（ステップＳ１２０３）、処置報告に撮像した監視領域の画像データを添付して監視センタ１００に送信する（ステップＳ１２０４）。かかる処置報告と画像データは上述の監視センタ１００における処理のステップＳ９０８において監視センタ１００で受信される。
【００７８】
図１３−１は、警備員携帯端末１２０に表示される処置選択画面の一例を示す模式図である。処置選択画面では、直行した時刻と、連絡する種別が選択可能に表示されている。警備員は処置報告を行う場合には、「６．原因コード連絡」を選択する。原因コード連絡を選択した場合には、原因コード連絡画面が警備員携帯端末１２０に表示される。
【００７９】
図１３−２は、原因コード連絡画面の一例を示す模式図である。原因コード連絡画面には、警報の原因の識別コードである原因コードを入力するフィールドが表示されている。図１３−２の例では、原因コードとして「Ａ０１」、すなわち、図６の処置対応テーブルから盗難に属する原因が表示されている。また、原因コード連絡画面には、「原因コード送信」を実行するキー表示と、詳細連絡を行うか否かを示すリストボックス「詳細連絡あり」および「詳細連絡なし」が表示されている。
【００８０】
原因コード連絡画面で、「詳細連絡なし」を選択し、「原因コード送信」をクリックすると、詳細連絡なしで原因コードのみが監視センタ１００に送信される。一方、「詳細連絡あり」を選択し、「原因コード送信」をクリックすると原因詳細連絡画面が表示される。
【００８１】
図１３−３は、原因詳細連絡画面の一例を示す模式図である。原因詳細連絡画面には、図１３−３に示すように、原因コードと、原因の内容が表示され、さらに詳細内容を入力するためのフィールドが表示される。なお、図１３−１では、原因コードとして「Ｄ１５」の原因「入館時の操作ミス−警備解除忘れ」が表示された例を示している。このような処置報告を監視センタ１００に送信することで、利用者は警報が単なる操作ミスに起因するものであったことを外出先で正確かつ迅速に把握することが可能となる。
【００８２】
図１３−３の原因詳細連絡画面において、詳細内容フィールドに処置の詳細や原因の詳細などを入力して、「原因コード送信に戻る」をクリックすると、図１３−２に示す原因コード連絡画面に戻り、かかる画面で「原因コード送信」をクリックすると入力した詳細内容とともに原因コードが処置報告として画像データとともに監視センタ１００に送信される。
【００８３】
このように本実施の形態にかかる警備システムでは、監視領域で異常が検知されて警備員が監視領域で処置を行った場合にも遠隔の利用者に警備員の処置メールを送信しているので、遠隔の利用者に監視領域における異常検知が誤報であるのか実際に異常が発生しているのかを早期に正確に把握させることができる。
【００８４】
なお、本実施の形態の監視センタ１００では、警備装置１１０から受信した異常検知情報から一旦警備・処置データを生成してから、生成した警報・処置データから警報メールを生成して送信しているが、受信した異常検知情報から直接警報メールを生成して送信するように構成してもよい。
【００８５】
また、本実施の形態の監視センタ１００では、警備員携帯端末１２０から受信した処置報告から一旦警備・処置データを生成してから、生成した警報・処置データから処置メールを生成して送信しているが、受信した処置報告から直接処置メールを生成して送信するように構成してもよい。
【図面の簡単な説明】
【００８６】
【図１】本実施の形態にかかる警備システムのネットワーク構成を示す説明図である。
【図２】警備装置１１０の構成を示すブロック図である。
【図３】監視センタ１００の構成を示すブロック図である。
【図４】利用者携帯端末１３０の機能的構成を示すブロック図である。
【図５】警備員携帯端末１２０の機能的構成を示すブロック図である。
【図６】処置対応テーブル３０８の内容の一例を示す説明図である。
【図７】警報・処置データの内容の一例を示す説明図である。
【図８】本実施の形態にかかる警備システムによる全体の流れを示すシーケンス図である。
【図９−１】異常検知情報を受信した監視センタ１００で行われる監視処理の手順を示すフローチャートである。
【図９−２】異常検知情報を受信した監視センタ１００で行われる監視処理の手順を示すフローチャートである。
【図１０−１】利用者携帯端末１３０で受信した警報メールの一例を示す模式図である。
【図１０−２】警報の詳細内容としての画像データが利用者携帯端末１３０に表示された画面を示す説明図である。
【図１１−１】利用者携帯端末１３０で受信した処置メールの一例を示す模式図である。
【図１１−２】処置の詳細内容としての画像データが利用者携帯端末１３０に表示された画面を示す説明図である。
【図１２】警備員携帯端末１２０による処置の処理の手順を示すフローチャートである。
【図１３−１】警備員携帯端末１２０に表示される処置選択画面の一例を示す模式図である。
【図１３−２】原因コード連絡画面の一例を示す模式図である。
【図１３−３】原因詳細連絡画面の一例を示す模式図である。
【符号の説明】
【００８７】
１００  監視センタ
１０１  コントローラ
１０２  操作表示部
１０３  センサ
１０４  監視カメラ
１１０  警備装置
１１５  入出力制御部
１１６  通信制御部
１２０  警備員携帯端末
１３０  利用者携帯端末
１４０  ネットワーク
１５０  制御部
１５１  警備モード切替部
１５２  警備モード記憶部
１５５  異常検知情報送信部
３０１  受信部
３０２  監視部
３０３  警報メール送信部
３０４  処置メール送信部
３０５  ＷＥＢ情報送受信部
３０６  警報・処置データ蓄積部
３０７  画像蓄積部
３０８  処置対応テーブル
４０１，５０１  通信部
４０２，５０３  通話部
４０３，５０４  表示部
４０４，５０５  操作部
５０２  ＧＰＳ受信部
【図１】
2007133694.tif 000003
【図２】
2007133694.tif 000004
【図３】
2007133694.tif 000005
【図４】
2007133694.tif 000006
【図５】
2007133694.tif 000007
【図６】
2007133694.tif 000008
【図７】
2007133694.tif 000009
【図８】
2007133694.tif 000010
【図９−１】
2007133694.tif 000011
【図９−２】
2007133694.tif 000012
【図１０−１】
2007133694.tif 000013
【図１０−２】
2007133694.tif 000014
【図１１−１】
2007133694.tif 000015
【図１１−２】
2007133694.tif 000016
【図１２】
2007133694.tif 000017
【図１３−１】
2007133694.tif 000018
【図１３−２】
2007133694.tif 000019
【図１３−３】
2007133694.tif 000020